(57)【要約】【課題】配信情報の種別に応じて配信情報の配信制御を行う。【解決手段】配信情報を受信する少なくとも１つの端末、及び、配信情報と、配信情報の種別を示す配信種別情報と、配信情報の配信先となる端末のグループを示す配信先グループ情報と、を含む配信設定情報を配信するサーバ装置、に通信可能な情報処理装置であって、配信設定情報をサーバ装置から受信する通信部と、配信設定情報の配信種別情報が第１の種別である場合、配信設定情報の配信先グループ情報が示すグループに属する１以上の端末に配信情報を配信する配信制御部と、を備える。【選択図】図４
2016004489.tif 000002
【特許請求の範囲】
【請求項１】
配信情報を受信する少なくとも１つの端末、及び、前記配信情報と、前記配信情報の種別を示す配信種別情報と、前記配信情報の配信先となる前記端末のグループを示す配信先グループ情報と、を含む配信設定情報を配信するサーバ装置、に通信可能な情報処理装置であって、
前記配信設定情報を前記サーバ装置から受信する通信部と、
前記配信設定情報の前記配信種別情報が第１の種別である場合、前記配信設定情報の前記配信先グループ情報が示すグループに属する１以上の前記端末に前記配信情報を配信する配信制御部と、
を備える情報処理装置。
【請求項２】
前記配信情報を表示する表示部を更に備え、
前記配信制御部は、前記配信設定情報の前記配信種別情報が第２の種別である場合、前記配信情報を１以上の前記端末に配信せずに、前記表示部に表示する
請求項１に記載の情報処理装置。
【請求項３】
前記配信先グループ情報毎に１以上の前記端末が関連付けられた配信先端末情報を記憶する記憶部を更に備え、
前記配信制御部は、前記配信設定情報の前記配信種別情報が第１の種別である場合、前記配信設定情報の前記配信先グループ情報に一致する前記配信先端末情報の前記配信先グループ情報に関連付けられた前記１以上の端末に前記配信情報を配信する
請求項１又は２に記載の情報処理装置。
【請求項４】
前記配信設定情報は、前記配信情報を配信する時刻を示す配信時刻情報を更に含み、
前記配信制御部は、前記配信設定情報の前記配信種別情報が第１の種別である場合、前記配信時刻情報が示す時刻に、前記配信設定情報の前記配信先グループ情報に基づいて、前記配信情報を１以上の前記端末に配信する
請求項１乃至３のいずれか１項に記載の情報処理装置。
【請求項５】
前記配信設定情報は、前記配信情報の重要度を示す重要度情報を更に含み、
前記配信制御部は、前記配信設定情報の前記配信種別情報が第１の種別である場合、前記配信情報と共に前記重要度情報を、前記配信設定情報の前記配信先グループ情報に基づいて１以上の前記端末に配信する
請求項１乃至４のいずれか１項に記載の情報処理装置。
【請求項６】
前記第２の種別は、前記配信情報が広告情報であることを示す
請求項２乃至５のいずれか１項に記載の情報処理装置。
【請求項７】
配信情報を配信する情報処理装置と、前記配信情報を受信する少なくとも１つの端末と、に接続されたサーバ装置であって、
前記サーバ装置は、
前記配信情報と、前記配信情報の種別を示す配信種別情報と、前記配信情報の配信先となる前記端末のグループを示す配信先グループ情報と、を含む配信設定情報を前記情報処理装置に配信する通信部、
を備えるサーバ装置。
【請求項８】
サーバ装置と、情報処理装置と、少なくとも１つの端末と、が通信可能な情報処理システムであって、
前記サーバ装置は、
配信情報と、前記配信情報の種別を示す配信種別情報と、前記配信情報の配信先となる前記端末のグループを示す配信先グループ情報と、を含む配信設定情報を前記情報処理装置に配信する通信部を備え、
前記情報処理装置は、
前記配信設定情報を前記サーバ装置から受信する通信部と、
前記配信設定情報の前記配信種別情報が第１の種別である場合、前記配信設定情報の前記配信先グループ情報が示すグループに属する１以上の前記端末に前記配信情報を配信する配信制御部と、を備え、
前記端末は、
前記配信情報を受信する通信部と、
前記配信情報を表示する表示部と、
を備える情報処理システム。
【請求項９】
配信情報を受信する少なくとも１つの端末、及び、前記配信情報と、前記配信情報の種別を示す配信種別情報と、前記配信情報の配信先となる前記端末のグループを示す配信先グループ情報と、を含む配信設定情報を配信するサーバ装置、に接続された情報処理装置の情報処理方法であって、
通信部が、前記配信設定情報を前記サーバ装置から受信するステップと、
配信制御部が、前記配信設定情報の前記配信種別情報が第１の種別である場合、前記配信設定情報の前記配信先グループ情報が示すグループに属する１以上の前記端末に前記配信情報を配信するステップと、
を含む情報処理方法。
【請求項１０】
配信情報を受信する少なくとも１つの端末、及び、前記配信情報と、前記配信情報の種別を示す配信種別情報と、前記配信情報の配信先となる前記端末のグループを示す配信先グループ情報と、を含む配信設定情報を配信するサーバ装置、に接続された情報処理装置を、
前記配信設定情報を前記サーバ装置から受信する通信部と、
前記配信設定情報の前記配信種別情報が第１の種別である場合、前記配信設定情報の前記配信先グループ情報が示すグループに属する１以上の前記端末に前記配信情報を配信する配信制御部、
として機能させるためのプログラム。
【発明の詳細な説明】
【技術分野】
【０００１】
本発明は情報処理装置、サーバ装置、情報処理システム、情報処理方法及びプログラムに関する。
【背景技術】
【０００２】
不特定多数の聴衆に広告を表示できるデジタルサイネージ技術、及びユーザの端末に広告を配信する広告配信技術が従来から知られている。デジタルサイネージ技術で使用される媒体には、例えば大型のディスプレイ、ＭＦＰ（ＭｕｌｔｉＦｕｎｃｔｉｏｎ  Ｐｒｉｎｔｅｒ）及びＬＰ（Ｌａｓｅｒ  Ｐｒｉｎｔｅｒ）の表示部等がある。例えばＭＦＰ及びＬＰの表示部に広告を表示する形態では、ユーザが指示したコピー又は印刷等のジョブを実行中に広告を表示する技術が知られている。また広告配信技術として、例えばＭＦＰに登録されているユーザのメールアドレスを利用してタブレット型端末等に広告を配信する技術が知られている。
【０００３】
特許文献１には、様々な業種の業者側から送信される合成用データを、ネットワークを介してオンラインで取得し、取得した合成用データを出力フォームに合成して広告情報等を作成し、その広告情報等を顧客に対して表示又は印刷出力すると共に、顧客情報を登録した顧客に対して、上記広告情報の電子メールやファクシミリによる自動配信処理を可能にする画像形成装置の発明が開示されている。
【発明の概要】
【発明が解決しようとする課題】
【０００４】
しかしながら従来の技術では、サーバ装置からＭＦＰ等の情報処理装置に配信される配信情報を、ＭＦＰ等の情報処理装置が配信情報の種別に応じて配信制御することができなかった。
【０００５】
本発明は、上記に鑑みてなされたものであって、配信情報の種別に応じて配信情報の配信制御を行うことができる情報処理装置、サーバ装置、情報処理システム、情報処理方法及びプログラムを提供することを目的とする。
【課題を解決するための手段】
【０００６】
上述した課題を解決し、目的を達成するために、本発明は、配信情報を受信する少なくとも１つの端末、及び、前記配信情報と、前記配信情報の種別を示す配信種別情報と、前記配信情報の配信先となる前記端末のグループを示す配信先グループ情報と、を含む配信設定情報を配信するサーバ装置、に通信可能な情報処理装置であって、前記配信設定情報を前記サーバ装置から受信する通信部と、前記配信設定情報の前記配信種別情報が第１の種別である場合、前記配信設定情報の前記配信先グループ情報が示すグループに属する１以上の前記端末に前記配信情報を配信する配信制御部と、を備える。
【発明の効果】
【０００７】
本発明によれば、配信情報の種別に応じて配信情報の配信制御を行うことができるという効果を奏する。
【図面の簡単な説明】
【０００８】
【図１】図１は実施形態の情報処理システムの構成の例を示す図である。
【図２】図２は実施形態の情報処理装置（ＭＦＰ）のハードウェア構成の例を示す図である。
【図３】図３は実施形態の情報処理装置（ＭＦＰ）のソフトウェア構成の例を示す図である。
【図４】図４は実施形態の情報処理装置（ＭＦＰ）の機能ブロックの例を示す図である。
【図５】図５は実施形態の配信先端末情報の例を示す図である。
【図６】図６は実施形態の配信設定情報の例を示す図である。
【図７】図７は実施形態の配信種別情報の例を示す図である。
【図８】図８は実施形態の重要度情報の例を示す図である。
【図９】図９は実施形態の配信時刻情報の例を示す図である。
【図１０】図１０は実施形態の配信設定情報の具体例を示す図である。
【図１１】図１１は実施形態のサーバ装置の機能ブロックの例を示す図である。
【図１２】図１２は実施形態の端末の機能ブロックの例を示す図である。
【図１３】図１３は実施形態の情報処理方法の例を示すシーケンス図である。
【発明を実施するための形態】
【０００９】
以下に添付図面を参照して、情報処理装置、サーバ装置、情報処理システム、情報処理方法及びプログラムの実施形態について詳細に説明する。
【００１０】
図１は実施形態の情報処理システム１００の構成の例を示す図である。実施形態の情報処理システム１００は、情報処理装置２００、サーバ装置３００、端末４００−１、端末４００−２、・・・、及び端末４００−Ｎ（Ｎは１以上の整数）を備える。以下、端末４００−１、端末４００−２、・・・、及び端末４００−Ｎを区別しない場合は単に端末４００という。情報処理装置２００、サーバ装置３００及び端末４００はネットワーク５００を介して互いに接続されている。なおネットワーク５００の通信方式は、有線であっても無線であってもよい。またネットワーク５００の通信方式は、有線及び無線を組み合わせて実現されていてもよい。
【００１１】
情報処理装置２００は、例えばＭＦＰ等である。サーバ装置３００は、情報処理装置２００を介して端末４００に配信する社内情報等の配信情報を記憶するコンピュータ等である。端末４００は、例えば社内の業務に使用されるタブレット型端末である。以下、実施形態の説明では、情報処理装置２００をＭＦＰとし、サーバ装置３００を任意のコンピュータとし、端末４００をタブレット型端末として説明する。
【００１２】
次に情報処理装置２００、サーバ装置３００及び端末４００の詳細について説明する。
【００１３】
まず情報処理装置２００のハードウェア構成の例について説明する。
【００１４】
図２は実施形態の情報処理装置２００のハードウェア構成の例を示す図である。図２に示すように、情報処理装置２００は、本体部１０と操作部２０とを備える。本体部１０は、コピー機能、スキャナー機能、ファクス機能、プリンタ機能等の各種の機能を実現する。操作部２０は、ユーザの操作に応じた情報を受け付ける。なおユーザの操作に応じた情報は、例えば画面の座標値を示す信号等である。
【００１５】
本体部１０及び操作部２０は、接続ＩＦ１６、専用の通信路３０及び接続ＩＦ２６を介して相互に通信可能に接続されている。通信路３０は、例えばＵＳＢ（Ｕｎｉｖｅｒｓａｌ  Ｓｅｒｉａｌ  Ｂｕｓ）規格を用いることができるが、有線か無線かを問わず任意の規格のものでもよい。
【００１６】
本体部１０は、操作部２０で受け付けた操作に応じた動作を行う。また、本体部１０は、端末４００及び図１では図示されていないクライアントＰＣ（パーソナルコンピュータ）等の外部装置とも通信可能であり、外部装置から受信した指示（印刷指示等）に応じた動作を行うこともできる。
【００１７】
まず本体部１０のハードウェア構成について説明する。図２に示すように、本体部１０は、ＣＰＵ１１、ＲＯＭ１２、ＲＡＭ１３、ＨＤＤ１４、通信ＩＦ１５、接続ＩＦ１６及びエンジン部１７を備える。ＣＰＵ１１、ＲＯＭ１２、ＲＡＭ１３、ＨＤＤ１４、通信ＩＦ１５、接続ＩＦ１６及びエンジン部１７はシステムバス１８を介して相互に接続されている。
【００１８】
ＣＰＵ１１は本体部１０の動作を統括的に制御する。ＣＰＵ１１はＲＡＭ１３をワークエリア（作業領域）としてＲＯＭ１２又はＨＤＤ１４等に格納されたプログラムを実行することで、本体部１０全体の動作を制御し、上述したコピー機能、スキャナー機能、ファクス機能、プリンタ機能等の各種機能を実現する。
【００１９】
通信ＩＦ１５は、ネットワーク５００と接続するためのインターフェースである。接続ＩＦ１６は、通信路３０を介して操作部２０と通信するためのインターフェースである。
【００２０】
エンジン部１７はコピー機能、スキャナー機能、ファクス機能及びプリンタ機能を実現させるための、汎用的な情報処理及び通信以外の処理を行うハードウェアである。例えば、原稿の画像をスキャンして読み取るスキャナー、用紙等のシート材への印刷を行うプロッタ、ファクス通信を行うＦＡＸ部等を備えている。エンジン部１７は、更に、印刷済みシート材を仕分けるフィニッシャや、原稿を自動給送するＡＤＦ（自動原稿給送装置）のような特定のオプションを実現するためのハードウェアを備えていてもよい。
【００２１】
次に操作部２０のハードウェア構成について説明する。図２に示すように、操作部２０は、ＣＰＵ２１、ＲＯＭ２２、ＲＡＭ２３、フラッシュメモリ２４、通信ＩＦ２５、接続ＩＦ２６、ユーザＩＦ２７及び外部接続ＩＦ２８を備える。ＣＰＵ２１、ＲＯＭ２２、ＲＡＭ２３、フラッシュメモリ２４、通信ＩＦ２５、接続ＩＦ２６、ユーザＩＦ２７及び外部接続ＩＦ２８はシステムバス２９を介して相互に接続されている。
【００２２】
ＣＰＵ２１は操作部２０の動作を統括的に制御する。ＣＰＵ２１はＲＡＭ２３をワークエリア（作業領域）としてＲＯＭ２２又はフラッシュメモリ２４等に格納されたプログラムを実行することで、操作部２０全体の動作を制御し、ユーザから受け付けた入力に応じた情報（画像）の表示等を実現する。
【００２３】
通信ＩＦ２５は、ネットワーク５００と接続するためのインターフェースである。接続ＩＦ２６は、通信路３０を介して本体部１０と通信するためのインターフェースである。
【００２４】
ユーザＩＦ２７は操作パネル及び入力装置である。操作パネルは、ユーザの操作に応じた各種の入力を受け付けるとともに、各種の情報（例えば受け付けた操作に応じた情報、情報処理装置２００の動作状況を示す情報、設定状態などを示す情報等）を表示する。操作パネルは、タッチパネル機能を搭載した液晶表示装置（ＬＣＤ）で構成されるが、液晶表示装置に限られるものではない。例えばタッチパネル機能が搭載された有機ＥＬ表示装置で構成されてもよい。入力装置は、ハードウェアキー（ボタン）である。なおユーザＩＦ２７として更にランプ等の表示部を備えてもよい。
【００２５】
外部接続ＩＦ２８は、端末４００と接続するために使用されるＮＦＣ（Ｎｅａｒ  Ｆｉｅｌｄ  Ｃｏｍｍｕｎｉｃａｔｉｏｎ）等のインターフェースである。
【００２６】
次に情報処理装置２００のソフトウェア構成について説明する。
【００２７】
図３は実施形態の情報処理装置２００のソフトウェア構成の例を示す図である。図３に示すように、本体部１０は、アプリ層１０１、サービス層１０２及びＯＳ層１０３を有する。アプリ層１０１、サービス層１０２及びＯＳ層１０３の実体は、ＲＯＭ１２やＨＤＤ１４等（図２参照）に格納されている各種ソフトウェアである。ＣＰＵ１１が、これらのソフトウェアを実行することにより、各種の機能が提供される。
【００２８】
アプリ層１０１のソフトウェアは、ハードウェア資源を動作させて所定の機能を提供するためのアプリケーションソフトウェア（以下の説明では、単に「アプリ」と称する場合がある）である。例えばアプリとしては、コピー機能を提供するためのコピーアプリ、スキャナー機能を提供するためのスキャナーアプリ、ファクス機能を提供するためのファクスアプリ、プリンタ機能を提供するためのプリンタアプリなどが挙げられる。
【００２９】
サービス層１０２のソフトウェアは、アプリ層１０１とＯＳ層１０３との間に介在し、アプリに対し、本体部１０が備えるハードウェア資源を利用するためのインターフェースを提供するためのソフトウェアである。より具体的には、ハードウェア資源に対する動作要求の受付、動作要求の調停を行う機能を提供するためのソフトウェアである。サービス層１０２が受け付ける動作要求としては、スキャナーによる読み取りやプロッタによる印刷等の要求が考えられる。
【００３０】
なおサービス層１０２によるインターフェースの機能は、本体部１０のアプリ層１０１だけではなく、操作部２０のアプリ層２０１に対しても提供される。すなわち操作部２０のアプリ層２０１（アプリ）も、サービス層１０２のインターフェース機能を介して、本体部１０のハードウェア資源（例えば図２のエンジン部１７）を利用した機能を実現することができる。
【００３１】
ＯＳ層１０３のソフトウェアは、本体部１０が備えるハードウェアを制御する基本機能を提供するための基本ソフトウェア（オペレーティングシステム）である。サービス層１０２のソフトウェアは、各種アプリからのハードウェア資源の利用要求を、ＯＳ層１０３が解釈可能なコマンドに変換してＯＳ層１０３に渡す。そして、ＯＳ層１０３のソフトウェアによりコマンドが実行されることで、ハードウェア資源は、アプリの要求に従った動作を行う。
【００３２】
同様に、操作部２０は、アプリ層２０１、サービス層２０２及びＯＳ層２０３を有する。操作部２０が備えるアプリ層２０１、サービス層２０２及びＯＳ層２０３も、階層構造については本体部１０と同様である。ただしアプリ層２０１のアプリにより提供される機能や、サービス層２０２が受け付け可能な動作要求の種類は、本体部１０とは異なる。アプリ層２０１のアプリは、操作部２０が備えるハードウェア資源を動作させて所定の機能を提供するためのソフトウェアであってもよいが、主として本体部１０が備える機能（コピー機能、スキャナー機能、ファクス機能及びプリンタ機能）に関する操作や表示を行うためのＵＩ（ユーザインターフェース）の機能を提供するためのソフトウェアである。
【００３３】
なお本実施形態では、機能の独立性を保つために、本体部１０のＯＳ層１０３のソフトウェアと、操作部２０のＯＳ層２０３のソフトウェアが互いに異なる。つまり本体部１０と操作部２０は、別々のオペレーティングシステムで互いに独立して動作する。例えば、本体部１０のＯＳ層１０３のソフトウェアとしてＬｉｎｕｘ（登録商標）を用い、操作部２０のＯＳ層２０３のソフトウェアとしてＡｎｄｒｏｉｄ（登録商標）を用いることが可能である。
【００３４】
以上のように、実施形態の情報処理装置２００において、本体部１０と操作部２０は別々のオペレーティングシステムで動作するため、本体部１０と操作部２０との間の通信は、共通の装置内のプロセス間通信ではなく、異なる装置間の通信として行われる。異なる装置間の通信の例は、操作部２０が受け付けた情報（ユーザからの指示内容）を本体部１０へ伝達する動作（コマンド通信）や、本体部１０が操作部２０へイベントを通知する動作等である。ここでは操作部２０が本体部１０へコマンド通信を行うことにより、本体部１０の機能を使用することができる。また本体部１０から操作部２０に通知するイベントには、本体部１０における動作の実行状況、本体部１０で設定された情報等が挙げられる。
【００３５】
また実施形態では、操作部２０への電力供給は、本体部１０から通信路３０を経由して行われているが、操作部２０の電源制御を、本体部１０の電源制御とは別に（独立して）行ってもよい。
【００３６】
また上述の実施形態では、本体部１０と操作部２０は、別々のオペレーティングシステムで互いに独立して動作しているが、これに限らず、例えば本体部１０と操作部２０が同じオペレーティングシステムで動作する形態であってもよい。
【００３７】
次に図２のハードウェア及び図３のソフトウェアにより実現される情報処理装置２００の機能ブロックの例について説明する。
【００３８】
図４は実施形態の情報処理装置２００の機能ブロックの例を示す図である。実施形態の情報処理装置２００は、本体部１０及び操作部２０を備える。
【００３９】
まず本体部１０について説明する。実施形態の本体部１０は、通信部１１１、読取部１１２、印刷部１１３、ＦＡＸ部１１４及び記憶部１１５を備える。通信部１１１はネットワーク５００を介してサーバ装置３００及び端末４００と通信する。読取部１１２は原稿を読み取る。印刷部１１３は原稿を印刷する。ＦＡＸ部１１４は通信部１１１を介して原稿をＦＡＸ送信するための処理を行う。記憶部１１５は本体部１０で動作するプログラム、及び読取部１１２で取得された画像データ等を記憶する。記憶部１１５は、図２のＲＯＭ１２、ＲＡＭ１３及びＨＤＤ１４に対応する。
【００４０】
次に操作部２０について説明する。実施形態の操作部２０は、通信部１２１、記憶部１２２、表示部１２３、入力部１２４及び配信制御部１２５を備える。
【００４１】
通信部１２１はネットワーク５００を介してサーバ装置３００及び端末４００と通信する。通信部１２１は、例えばサーバ装置３００から配信先端末情報及び配信設定情報を受信する。
【００４２】
図５は実施形態の配信先端末情報の例を示す図である。配信先端末情報は、配信先グループ情報及び端末特定情報を含む。配信先グループ情報は１以上の配信先の端末４００を含むグループを識別する情報である。端末特定情報は配信情報の配信先の端末４００を特定する情報である。端末特定情報は、例えば端末４００のユーザのメールアドレスである。
【００４３】
図６は実施形態の配信設定情報の例を示す図である。配信設定情報は、配信種別情報、配信情報、配信先グループ情報、重要度情報及び配信時刻情報を含む。配信種別情報は配信情報の種別を示す情報である。
【００４４】
図７は実施形態の配信種別情報の例を示す図である。配信種別情報は配信情報の種別毎に識別子を関連付けた情報である。図７の例では、配信情報の種別が社内情報である場合の配信種別情報は１である。また配信情報の種別が広告情報である場合の配信種別情報は２である。また配信情報の種別が機密情報である場合の配信種別情報は３である。また配信情報の種別が極秘情報である場合の配信種別情報は４である。
【００４５】
図６に戻り、配信情報は、１以上の端末４００に配信される任意の情報である。配信先グループ情報は図５の配信先端末情報の配信先グループ情報に対応する。重要度情報は配信情報の重要度を示す。
【００４６】
図８は実施形態の重要度情報の例を示す図である。重要度情報は配信情報の重要度に応じて数値を対応付けた情報である。図８の例では、重要度情報として３つの重要度（低、中、高）に、値（１、２、３）を対応付けた場合の例である。
【００４７】
図６に戻り、配信時刻情報は配信情報を配信する時刻を示す情報である。
【００４８】
図９は実施形態の配信時刻情報の例を示す図である。図９の配信時刻情報は、時刻が２０１４年３月２５日１３時５８分４５秒になったときに、情報処理装置２００の通信部１２１が配信先の端末４００に配信情報を配信することを示す。なお配信時刻情報に時刻が設定されていない場合、通信部１２１がサーバ装置３００から配信設定情報を受信したときに、配信制御部１２５が当該配信設定情報に含まれる配信情報を配信先の端末４００に配信する。
【００４９】
次に配信設定情報の具体例について説明する。
【００５０】
図１０は実施形態の配信設定情報の具体例を示す図である。図１０の配信設定情報は、配信種別情報が１（社内情報）の配信情報を配信先グループＡの端末４００に、重要度情報が２（中）の配信情報として２０１４年３月３１日１３時００分００秒に配信する場合の例である。
【００５１】
図４に戻り、また通信部１２１は配信情報及び重要度情報を１以上の端末４００に配信する。記憶部１２２は通信部１２１により受信された配信先端末情報（図５参照）及び配信設定情報（図６参照）を記憶する。記憶部１２２は図２のＲＯＭ２２、ＲＡＭ２３及びフラッシュメモリ２４に対応する。表示部１２３はユーザの操作入力の受け付けと、情報の表示とを兼ねたタッチパネルである。入力部１２４はユーザの操作入力を受け付けるボタンである。
【００５２】
配信制御部１２５は上述の配信設定情報に基づいて、配信情報及び重要度情報を１以上の端末４００に通信部１２１を介して配信、又は配信情報を表示部１２３に表示する。
【００５３】
例えば配信制御部１２５は配信設定情報の配信種別情報が１（社内情報）である場合、配信設定情報の配信先グループ情報から１以上の端末４００を特定し、当該１以上の端末４００に配信情報（社内情報）及び重要度情報を、通信部１２１を介して配信する。例えば配信先グループ情報が配信先グループＢの場合、配信制御部１２５は配信先端末情報から配信先グループＢに含まれる端末４００（図５の例では端末Ｇ及び端末Ｈ）を特定する。
【００５４】
また例えば配信制御部１２５は、配信設定情報の配信種別情報が２（広告情報）である場合、配信情報（広告情報）を１以上の端末４００に通信部１２１を介して配信せずに、表示部１２３に表示する。
【００５５】
また例えば配信制御部１２５は、配信設定情報に配信時刻情報が設定されている場合、配信時刻情報が示す時刻になったときに、配信情報（例えば社内情報）及び重要度情報を、配信設定情報の配信先グループ情報に基づいて１以上の端末４００に通信部１２１を介して配信する。
【００５６】
なお図４で説明した情報処理装置２００の各機能ブロックは、プログラム又は専用のハードウェア回路（例えば半導体集積回路等）により実現される。例えば通信部１２１及び配信制御部１２５等の機能ブロックをプログラムにより実現する場合は、ＣＰＵ２１が、記憶装置（ＲＯＭ２２又はフラッシュメモリ２４等）に格納されたプログラムを実行することにより実現される。
【００５７】
また上述した実施形態の情報処理装置２００で実行されるプログラムは、インストール可能な形式または実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）、ＵＳＢ（Ｕｎｉｖｅｒｓａｌ  Ｓｅｒｉａｌ  Ｂｕｓ）等のコンピュータで読み取り可能な記録媒体に記録して提供するように構成してもよい。また当該プログラムをインターネット等のネットワーク経由で提供又は配布するように構成してもよい。また当該プログラムを、ＲＯＭ等の不揮発性の記録媒体に予め組み込んで提供するように構成してもよい。
【００５８】
次にサーバ装置３００の機能ブロックの例について説明する。
【００５９】
図１１は実施形態のサーバ装置３００の機能ブロックの例を示す図である。実施形態のサーバ装置３００は、通信部３０１及び記憶部３０２を備える。
【００６０】
通信部３０１はサーバ装置３００の管理者の端末４００からネットワーク５００を介して、配信先端末情報（図５参照）及び配信設定情報（図６参照）を受信する。また通信部３０１はサーバ装置３００の管理者の端末４００から送信された送信要求に応じて、配信先端末情報（図５参照）及び配信設定情報（図６参照）を情報処理装置２００に送信する。
【００６１】
記憶部３０２は通信部３０１により受信された配信先端末情報及び配信設定情報を記憶する。
【００６２】
なおサーバ装置３００が表示部及び入力部を備える場合は、サーバ装置３００の管理者はネットワーク５００を介さずに直接、サーバ装置３００に配信先端末情報及び配信設定情報の入力、並びに配信先端末情報及び配信設定情報の送信指示を行ってもよい。
【００６３】
次に端末４００の機能ブロックの例について説明する。
【００６４】
図１２は実施形態の端末４００の機能ブロックの例を示す図である。実施形態の端末４００は、通信部４０１、記憶部４０２、表示部４０３、入力部４０４及び制御部４０５を備える。
【００６５】
通信部４０１は情報処理装置２００からネットワーク５００を介して、配信情報及び重要度情報を受信する。記憶部４０２は配信情報及び重要度情報を記憶する。表示部４０３はユーザの操作入力の受け付けと、情報の表示とを兼ねたタッチパネルである。入力部４０４はユーザの操作入力を受け付けるボタンである。
【００６６】
制御部４０５は重要度情報に基づいて配信情報を表示部４０３に表示する。例えば制御部４０５は重要度情報が３（高）の配信情報を通信部４０１が当該配信情報を受信したときに、当該配信情報を含むウィンドウを最上位にして直ちに表示部４０３に表示する。
【００６７】
次に実施形態の情報処理方法について説明する。
【００６８】
図１３は実施形態の情報処理方法の例を示すシーケンス図である。はじめに、サーバ装置３００（通信部３０１）が配信先端末情報（図５参照）を情報処理装置２００に送信する（ステップＳ１）。次に、情報処理装置２００（通信部１２１）が配信先設定情報を情報処理装置２００（記憶部１２２）に記憶（設定）する（ステップＳ２）。次に、情報処理装置２００（通信部１２１）が設定完了の応答をサーバ装置３００に送信する（ステップＳ３）。
【００６９】
次に、サーバ装置３００（通信部３０１）が配信設定情報（図６参照）を情報処理装置２００に送信する（ステップＳ４）。次に、情報処理装置２００（通信部１２１）が配信設定情報を記憶部１２２に記憶し、情報処理装置２００（配信制御部１２５）が配信設定情報の配信種別情報を判定する（ステップＳ５）。
【００７０】
配信設定情報の配信種別情報が１（社内情報）の場合、情報処理装置２００（配信制御部１２５）が情報処理装置２００（記憶部１２２）から当該配信設定情報の配信先グループ情報に対応付けられた配信先端末情報を読み出す（ステップＳ６）。具体的には、情報処理装置２００（配信制御部１２５）が配信設定情報の配信先グループ情報に一致する配信先端末情報の配信先グループ情報に関連付けられた端末特定情報を読み出す。ステップＳ６で読み出される配信先端末情報の端末特定情報は、例えば端末４００−１、端末４００−２及び端末４００−３のメールアドレスである。以下、配信先端末情報の端末特定情報が端末４００−１、端末４００−２及び端末４００−３のメールアドレスである場合を例にして説明する。
【００７１】
次に、情報処理装置２００（配信制御部１２５）は配信制御を行う（ステップＳ７）。具体的には、情報処理装置２００（配信制御部１２５）は配信設定情報の配信時刻情報を参照する。そして当該配信時刻情報に時刻が設定されている場合、情報処理装置２００（配信制御部１２５）は当該時刻になったときに、配信情報及び重要度情報を、ステップＳ６で読み出された配信先端末情報に基づいて通信部１２１を介して配信する（ステップＳ８、ステップＳ１０及びステップＳ１２）。なお当該重要度情報はステップＳ４で受信した配信設定情報に含まれる当該配信情報の重要度情報である。
【００７２】
当該配信時刻情報に時刻が設定されていない場合、情報処理装置２００（配信制御部１２５）はステップＳ６で読み出された配信先端末情報に基づいて配信情報及び重要度情報を、通信部１２１を介して直ちに配信する（ステップＳ８、ステップＳ１０及びステップＳ１２）。
【００７３】
次に、端末４００−１（通信部４０１−１）がステップＳ８で送信された配信情報及び重要度情報を受信し、当該配信情報及び当該重要度情報を端末４００−１（記憶部４０２−１）に記憶する。そして端末４００−１（制御部４０５−１）が当該重要度情報に基づいて当該配信情報を端末４００−１（表示部４０３−１）に表示する（ステップＳ９）。例えば端末４００−１（制御部４０５−１）は重要度情報が３（高）の場合、当該配信情報を含むウィンドウを最上位にして直ちに端末４００−１（表示部４０３−１）に表示する。
【００７４】
ステップＳ１１及びステップＳ１３についてはステップＳ９と同様であるので説明を省略する。
【００７５】
配信設定情報の配信種別情報が２（広告情報）の場合、情報処理装置２００（配信制御部１２５）は、配信情報を１以上の端末４００に通信部１２１を介して配信せずに、情報処理装置２００（表示部１２３）に表示する（ステップＳ１４）。
【００７６】
なお図７で例示した配信種別情報が３（機密情報）の場合、及び４（極秘情報）の場合の配信情報については、図１３の例では明示していないが、配信先端末情報及び配信設定情報によりサーバ装置３００の管理者が適宜、配信制御の方法を決定してよい。
【００７７】
以上説明したように、実施形態の情報処理装置２００では、通信部１２１が上述の配信設定情報（図６参照）をサーバ装置３００から受信する。そして配信制御部１２５が配信設定情報の配信種別情報が例えば１（社内情報）である場合、配信設定情報の配信先グループ情報に基づいて、配信情報を１以上の端末４００に通信部１２１を介して配信する。また配信制御部１２５が配信設定情報の配信種別情報が例えば２（広告情報）である場合、配信情報を１以上の端末４００に配信せずに表示部１２３に表示する。これにより実施形態の情報処理装置２００によれば、配信情報の種別に応じて配信情報の配信制御を行うことができる。すなわち実施形態の情報処理装置２００によれば、サーバ装置３００から受信した配信情報のうち、端末４００のユーザに応じた最適な配信情報を各端末４００に配信することができる。
【符号の説明】
【００７８】
１０  本体部
２０  操作部
１００  情報処理システム
１１１  通信部
１１２  読取部
１１３  印刷部
１１４  ＦＡＸ部
１１５  記憶部
１２１  通信部
１２２  記憶部
１２３  表示部
１２４  入力部
１２５  配信制御部
２００  情報処理装置（ＭＦＰ）
３００  サーバ装置
３０１  通信部
３０２  記憶部
４００  端末
４０１  通信部
４０２  記憶部
４０３  表示部
４０４  入力部
４０５  制御部
５００  ネットワーク
【先行技術文献】
【特許文献】
【００７９】
【特許文献１】特許第４２６０５６７号公報
【図１】
2016004489.tif 000003
【図２】
2016004489.tif 000004
【図３】
2016004489.tif 000005
【図４】
2016004489.tif 000006
【図５】
2016004489.tif 000007
【図６】
2016004489.tif 000008
【図７】
2016004489.tif 000009
【図８】
2016004489.tif 000010
【図９】
2016004489.tif 000011
【図１０】
2016004489.tif 000012
【図１１】
2016004489.tif 000013
【図１２】
2016004489.tif 000014
【図１３】
2016004489.tif 000015